(57)【要約】【課題】庫内空間の熱が外部に漏洩することを最小限に抑えることができる自動販売機を提供する。【解決手段】自動販売機本体の外殻をなす外箱１３と、内扉９により庫内空間Ｎが開閉可能とされた断熱性を有する断熱庫８と、外箱１３の天面部内面における前面開口部に臨む領域で左右に延びるように配設された天面部補強部材２５と、商品を収納する商品収納装置５を手前側に出退可能な状態で支持するガイドレール２０と、を備え、天面部補強部材２５にレール取付部材２６が取り付けられ、ガイドレール２０が、内部空間部２７ｇを有する断熱用部材（厚肉突部２７ｆ）を介して、レール取付部材２６に取り付けられている。【選択図】図３
2015118420.tif 000002
【特許請求の範囲】
【請求項１】
前面開口部が外扉によって開閉される自動販売機本体の外殻をなす外箱と、
この外箱内に設けられ、断熱性を有する内扉により庫内空間が開閉可能とされた断熱性を有する断熱庫と、
前記外箱の天面部内面における前記前面開口部に臨む領域で左右に延びるように配設された天面部補強部材と、
商品を収納する商品収納装置と、
この商品収納装置を手前側に出退可能な状態で支持するガイドレールと、
を備えた自動販売機であって、
前記天面部補強部材にレール取付部材が取り付けられ、
前記ガイドレールが、内部空間部を有する断熱用部材を介して、前記レール取付部材に取り付けられている
ことを特徴とする自動販売機。
【請求項２】
断熱用部材は、複数の厚肉突部を有し、少なくとも厚肉突部間に内部空間部が設けられていることを特徴とする請求項１に記載の自動販売機。
【請求項３】
断熱用部材が、内扉に密接可能とされ庫内空間を密閉するガスケットに一体形成されていることを特徴とする請求項１または２に記載の自動販売機。
【請求項４】
ガスケットは、ガイドレールとレール取付部材との間で前後方向に延びるように形成され、その前端部に内扉と接触するシール部が一体形成されていることを特徴とする請求項３に記載の自動販売機。
【請求項５】
レール取付部材により少なくとも一部が囲まれる領域に断熱体が配設されていることを特徴とする請求項１〜４の何れか１項に記載の自動販売機。
【請求項６】
前記断熱体の前端部は、その上部寄り箇所の下面部が切り欠かれて、前方に突出する段付き形状とされ、前記レール取付部材と前記断熱用部材がその切り欠き領域に臨むように配置されていることを特徴とする請求項５に記載の自動販売機。
【発明の詳細な説明】
【技術分野】
【０００１】
本発明は自動販売機に関する。
【背景技術】
【０００２】
商品を加温または冷却した状態、すなわち調温状態で販売する自動販売機は広く知られている。この種の自動販売機においては、自動販売機本体の外殻をなす外箱（金属製）の内部に、箱型形状で断熱構造の断熱庫が配設され、この断熱庫の内部である庫内空間に、商品を収納した商品収納装置を配設している。商品収納装置は、整備点検時や修理時に前方に取り出し易いように、自動販売機本体の天面部下面に取り付けられたガイドレールを介して、前方（手前側）に出退可能な状態で支持されて取り付けられている。なお、商品収納装置を手前側に引き出す際は、自動販売機本体の前面開口部を開閉する外扉や、断熱庫の前面かい開口部を開閉する内扉を開けた状態で、商品収納装置の引出動作を行う。
【０００３】
自動販売機においては、外箱の前面開口部に臨む箇所に、各種の補強部材が配設されている。図７に示すように、外箱８０の天面部８０ａの下面前端側領域には、板金を屈曲させてなる天面部補強部材８１が左右に延びるように配設されている。この天面部補強部材８１の後端部分は、外箱８０の天面部８０ａから下方に延ばされ、さらに前方に少し延びるように形成されている。そして、この天面部補強部材８１の後端前延部８１ａに、金属製のガイドレール（ラックレール）８５の前端部が固定されている。そして、商品収納装置８３が、前記ガイドレール８５に沿って手前側に引き出し可能な状態で吊り下げられている。なお、図７における８２は、天面部補強部材８１の後部に固定された補助補強部材である。
【０００４】
ガイドレール（ラックレール）８５の前端部には、断熱性を有する内扉８８との間をシールするガスケット８６が取り付けられている。ガスケット８６には、断熱庫の天面部を構成する断熱体８７の前端部を保持するための、断熱体保持部８６ａ、８６ｂが設けられているとともに、ガスケット８６のシール部８６ｃと前記断熱体保持部８６ａ、８６ｂとを接続する薄肉部８６ｄが形成されている。そして、この薄肉接続部８６ｄを介した状態で、固定用ねじ８９により、天面部補強部材８１の後端前延部８１ａにガイドレール８５の前端部が固定されている。閉鎖状態での内扉８８より後方の領域が、調温された庫内空間９０とされており、ガイドレール８５は庫内空間９０に配設されている。一方、天面部補強部材８１は、調温されておらず、外気に通じた、いわゆる庫外空間９５に配設されている。このような構成の自動販売機が例えば特許文献１に開示されている。
【先行技術文献】
【特許文献】
【０００５】
【特許文献１】特開２００６−１７８８６０号公報
【発明の概要】
【発明が解決しようとする課題】
【０００６】
しかしながら、図７に示すような従来の自動販売機の構造では、庫内空間９０に配設されているガイドレール８５が、天面部補強部材８１に、ガスケット８６の薄肉接続部８６ｄを介して、殆ど断熱性を有しない取付状態で、固定されている一方で、天面部補強部材８１は、調温されていない、いわゆる庫外空間９５に配設されている。このため、庫内空間９０内の熱が、ガイドレール８５から、ガスケット８６の薄肉接続部８６ｄおよび天面部補強部材８１を通して、庫外空間９５に漏洩したり、さらには外箱８０を通して外部に漏洩したりしており、これにより、断熱性能の低下を招いていた。
【０００７】
本発明は上記課題を解決するもので、庫内空間の熱が外部に漏洩することを最小限に抑えることができる自動販売機を提供することを目的とするものである。
【課題を解決するための手段】
【０００８】
上記課題を解決するために本発明は、前面開口部が外扉によって開閉される自動販売機本体の外殻をなす外箱と、この外箱内に設けられ、断熱性を有する内扉により庫内空間が開閉可能とされた断熱性を有する断熱庫と、前記外箱の天面部内面における前記前面開口部に臨む領域で左右に延びるように配設された天面部補強部材と、商品を収納する商品収納装置と、この商品収納装置を手前側に出退可能な状態で支持するガイドレールと、を備えた自動販売機であって、前記天面部補強部材にレール取付部材が取り付けられ、前記ガイドレールが、内部空間部を有する断熱用部材を介して、前記レール取付部材に取り付けられていることを特徴とする。
【０００９】
この構成によれば、ガイドレールが、内部空間部を有する断熱用部材を介して、レール取付部材に取り付けられているので、内部空間部を有する断熱用部材により断熱性が確保され、ガイドレールからの熱がレール取付部材や天面部補強部材を介していわゆる庫外空間や外部に漏洩することを最小限に抑えることができる。
【００１０】
また、本発明の断熱用部材は、複数の厚肉突部を有し、少なくとも厚肉突部間に内部空間部が設けられていることを特徴とする。この構成により、簡単な構成で、内部空間部を有する断熱用部材を実現できる。
【００１１】
また、本発明は、断熱用部材が、内扉に密接可能とされ庫内空間を密閉するガスケットに一体形成されていることを特徴とする。これにより、断熱用部材をガスケットとは別個に設ける場合と比較して部品点数を削減することができるとともに、取付の手間を削減することができる。
【００１２】
また、本発明のガスケットは、ガイドレールとレール取付部材との間で前後方向に延びるように形成され、その前端部に内扉と接触するシール部が一体形成されていることを特徴とする。
【００１３】
また、本発明は、レール取付部材により少なくとも一部が囲まれる領域に断熱体が配設されていることを特徴とする。これにより、レール取付部材により少なくとも一部が囲まれる領域を通しての熱の漏洩も最小限に抑えることができる。
【００１４】
また、本発明の前記断熱体の前端部は、その上部寄り箇所の下面部が切り欠かれて、前方に突出する段付き形状とされ、前記レール取付部材と前記断熱用部材がその切り欠き領域に臨むように配置されていることを特徴とする。この構成により、断熱体とガイドレールとを接近させて配置することを維持しつつ、ガイドレールとレール取付部材とを離間させ、その間に断熱用部材を配置することが可能となって、断熱庫の天面部の断熱性能を高めることができる。
【発明の効果】
【００１５】
本発明によれば、ガイドレールを、内部空間部を有する断熱用部材を介して、レール取付部材に取り付けたことにより、内部空間部を有する断熱用部材により断熱性が確保され、ガイドレールからの熱がレール取付部材や天面部補強部材を介していわゆる庫外空間や外部に漏洩することを最小限に抑えることができる。特に、断熱用部材は内部空間部を有するため、良好な断熱性能を得ることができる。
【００１６】
また、断熱用部材に複数の厚肉突部を有せしめ、少なくとも厚肉突部間に内部空間部を設けることにより、簡単な構成で、内部空間部を有する断熱用部材を実現できる。また、断熱用部材を、内扉に密接可能とされ庫内空間を密閉するガスケットに一体形成させて構成することにより、断熱用部材をガスケットとは別個に設ける場合と比較して部品点数を削減することができるとともに、取付の手間を削減することができ、製造コストを削減することができる。
【００１７】
また、断熱用部材が、内扉に密接可能とされ庫内空間を密閉するガスケットに一体形成されている構成にすることにより、断熱用部材をガスケットとは別個に設ける場合と比較して部品点数を削減することができるとともに、取付の手間を削減することができる。また、レール取付部材により少なくとも一部が囲まれる領域に断熱体を配設したことにより、レール取付部材により少なくとも一部が囲まれる領域を通しての熱の漏洩も最小限に抑えることができて、断熱性能をさらに向上させることができる。
【００１８】
また、前記断熱体の前端部を、その上部寄り箇所の下面部を切り欠いて、前方に突出する段付き形状とし、前記レール取付部材と前記断熱用部材がその切り欠き領域に臨むように配置することにより、断熱体とガイドレールとを接近させて配置することを維持しつつ、ガイドレールとレール取付部材とを離間させ、その間に断熱用部材を配置することが可能となるため、断熱庫の天面部の断熱性能を高めることができる。
【図面の簡単な説明】
【００１９】
【図１】本発明の実施の形態に係る自動販売機の側面断面図である。
【図２】同自動販売機の全体斜視図で、外扉および内扉を開けた状態を示す。
【図３】同自動販売機の要部側面断面図である。
【図４】同自動販売機の要部拡大正面図である。
【図５】（ａ）および（ｂ）はそれぞれ同実施の形態に係る自動販売機に用いられるガスケットの変形例を示す側面拡大断面図である。
【図６】本発明の他の実施の形態に係る自動販売機の要部側面断面図である。
【図７】従来の自動販売機の要部側面断面図である。
【発明を実施するための形態】
【００２０】
以下、本発明の実施の形態に係る自動販売機を、図面に基づき説明する。なお、ここで示す実施の形態はあくまでも一例であって、必ずしもこの実施の形態に限定されるものではない。
【００２１】
図１、図２に示すように、この自動販売機１は、商品２を収納する商品収納搬送路３と、この商品収納搬送路３の下端の商品２を払い出す商品払出機構４とを備えた商品収納装置５が、自動販売機本体６内に配設されている。自動販売機１は、外扉（前面扉とも称せられる）７が、自動販売機本体６の前面開口部１５を開閉可能な状態で自動販売機本体６に支持されている。また、自動販売機本体６内には、商品収納装置５が左右方向に複数列収納されてなり、断熱性を有する断熱庫８が配設されている。この断熱庫８も前面が開口されて、断熱庫８内の空間である庫内空間Ｎが、断熱性を有する内扉９により開閉自在とされている。そして、断熱庫８の内部は、上下および奥行方向（前後方向）に延びる断熱性を有する断熱仕切壁１０によって、左右に分割されて複数（この実施の形態では２つ）の断熱室１２（１２Ａ、１２Ｂ）が設けられている。
【００２２】
また、自動販売機本体２の内部における断熱庫８の下方には、外気が自由に出入可能とされた庫外空間Ｍの一部領域である機械室１１が設けられており、この機械室１１には冷媒圧縮機１４Ａや凝縮器１４Ｂ、換気ファンなどからなる冷凍サイクルの庫外側機器が備えられている。そして、この冷凍サイクルの動作によって各断熱室１２内に配設された蒸発器（庫内側機器）１４Ｃやヒータ（図示せず）などにより、各断熱室１２内の空気を冷却または加温して、各断熱室１２内の温度を調整するよう構成されている。
【００２３】
自動販売機本体６の外殻は、両側面部、背面部、天面部、底面部（すなわち前面部を除く５つの面）の面状金属板を接合してなる外箱１３により構成されている。そして、この外箱１３の内部に、ウレタンフォームなどの断熱材の表面を樹脂製フィルムなどで覆うなどしてなる断熱体で構成された断熱庫８が設けられている。なお、樹脂製フィルムなどで覆うことなく、単に断熱材のみで、断熱体を構成してもよい。
【００２４】
図２、図３などに示すように、外箱１３の天面部１３ａの内面（裏面）には、断熱庫８の天面部をなす断熱体８ａが配設されている。また、外箱１３の天面部１３ａの内面における前面開口部に臨む箇所（内面における前端部近傍箇所）、すなわち、断熱体８ａの前方には、外箱１３の前面開口部の周囲を補強するための補強部材の一つである天面部補強部材２５が左右に延びるように配設されている。天面部補強部材２５は、金属板を屈曲させて構成され、その前部２５ａと後部２５ｂとは、外箱１３の天面部１３ａの内面（裏面）に溶接などにより固着されている。一方、天面部補強部材２５の前後方向の略中央部は下方に凸状に突出された補強突部２５ｃが形成され、この補強突部２５ｃによっても、外箱１３の前面開口部に臨む箇所の断面積を増加させることで剛性を向上させている。
【００２５】
図２〜図４などに示すように、断熱庫８の天面部をなす断熱体８ａの下方には、前後方向に延びて左右で対となったガイドレール２０が配設されており、ガイドレール２０により、商品収納装置５が前方（手前側）に出退可能な状態で支持されている。ここで、ガイドレール２０の前端部は以下のようにして支持されている。つまり、天面部補強部材２５の後部２５の下面から補強突部２５ｃの後面部にかけて、金属板などから構成されて、側面視略コ字状で後方が開放されたレール取付部材２６が取り付けられ、このレール取付部材２６にガイドレール取付用の断熱用部材を介して、ガイドレール２０の前端部が固定ねじ２８により取り付けられている。
【００２６】
また、この実施の形態では、断熱庫８の天面部をなす断熱体８ａの前端部は、その上部寄り箇所の下面部が切り欠かれて、前方に突出する段付き形状とされているが、この断熱体８ａの前端部の上部寄り箇所が、側面視略コ字状のレール取付部材２６により囲まれる領域（この実施の形態では上下および前方から囲まれる領域）に後方から入り込んだ状態で配設されている。
【００２７】
そして、この実施の形態では、図３に示すように、前記ガイドレール取付用の断熱用部材が、内扉９に密接可能とされ庫内空間Ｎを密閉するガスケット２７の一部に一体形成された複数の厚肉突部２７ｆより構成され、これらの厚肉突部２７ｆの前方および後方には、中空の内部空間部２７ｇが形成されており、このように、前記ガイドレール取付用の断熱用部材は、複数の内部空間部２７ｇを有し、レール取付部材２６に取り付けられることで、内部空間部２７ｇが閉空間となる。
【００２８】
より詳しくは、ガスケット２７は、ガイドレール２０の前端部上面とレール取付部材２６の下面との間で、ガイドレール２０の前端部上面に沿って前後方向に延びるように形成された前後延設部２７ａと、この前後延設部２７ａから上方に突出するように設けられた前記複数の厚肉突部２７ｆと、前後延設部２７ａよりもさらに後方に延びて、断熱庫８の天面部の前端下部を下方から保持する第１舌片部２７ｂと、第１舌片部２７ｂの基部から上方に延びて断熱庫８の天面部の前端下部を前方から保持する第２舌片部２７ｃと、前後延設部２７ａの前端から前方に突出するとともに複数の閉鎖空間などを有して圧縮変形自在とされ、内扉９が閉じられた際に、内扉９の内面上辺部に密接するシール部２７ｄとを有する。なお、この実施の形態では、シール部２７ｄは内扉９への密着性能を向上させるために比較的軟質の樹脂などから構成される一方、ガスケット２７のその他の箇所は比較的硬質の樹脂（ポリプロピレン）などから構成されて、断熱庫８の天面部前端を確実に保持可能とされているとともに、前記複数の厚肉突部２７ｆにより中空の内部空間部２７ｇを有して、良好な断熱性を有する。なお、断熱用部材としては、硬質ウレタンやグラスウールなど、その材料の内部空間部に空気を保持する部材であってもよい。
【００２９】
また、ガイドレール２０の後端部は、外箱１３の背面上端部の内面を左右に延びるように配設された補強部材に係止されて支持されている（図示せず）が、この構造に限るものではない。また、図３に示すように、断熱庫８の底面部８ｂの前端にも沿うようにガスケット２９が取り付けられ、内扉９を閉じた状態で、前記ガスケット２９が内扉９の内面下辺部に密接可能に構成されている。
【００３０】
上記構成によれば、ガイドレール２０の前端部が、内部空間部２７ｇを有する断熱用部材としてのガスケット２７の複数の厚肉突部２７ｆを介して、レール取付部材２６に取り付けられて、断熱用部材の内部空間部２７ｇは閉空間となる。これにより、断熱効果が高い内部空間部２７ｇを有する断熱用部材により比較的大きな断熱性が確保され、ガイドレール２０からの熱がレール取付部材２６や天面部補強部材２５を介していわゆる庫外空間Ｍや自動販売機１の外部に漏洩することを最小限に抑えることができる。また、厚肉突部２７ｆを前後延設部２７ａから上方に突出するように設けているので、内部空間２７ｇを容易に形成することができ、断熱用部材の製造コストを低減することができる。
【００３１】
また、上記構成においては、断熱体８ａの前端部の上部寄り箇所が、側面視略コ字状のレール取付部材２６により囲まれる領域（この実施の形態では上下および前方から囲まれる領域）に後方から入り込んだ状態で配設されている。これにより、レール取付部材２６により囲まれる領域を介して熱が漏洩することをさらに抑えることができて、断熱性能をさらに向上させることができる。また、レール取付部材２６と断熱用部材が、断熱体８ａの前端部の上部寄り箇所の下面の切り欠き領域に臨むように配置されているので、断熱体８ａとガイドレール２０とを接近させて配置することを維持しつつ、ガイドレール２０とレール取付部材２６とを離間させ、その間に断熱用部材を配置することが可能となるため、断熱庫８の天面部の断熱性能を高めることができる。
【００３２】
また、上記構成においては、断熱用部材を、ガスケット２７の一部に一体形成されている複数の厚肉突部２７ｆにより構成しているため、断熱用部材をガスケットとは別個に設ける場合と比較して部品点数を削減することができるとともに、その分だけ取付の手間を削減することができる利点がある。また、この実施の形態では、断熱庫８の天面前端部を保持する第１舌片部２７ｂや第２舌片部２７ｃもガスケット２７として一体形成しているため、断熱庫８の天面前端部を保持する部材をガスケットとは別個に設ける場合と比較して部品点数を削減することができるとともに、その分だけ取付の手間を削減することができる利点がある。
【００３３】
また、上記実施の形態では、断熱用部材としての厚肉突部２７ｆを上下方向だけでなく前後方向にも比較的厚肉とされた２つの厚肉突部２７ｆにより構成した場合を述べたが、これに限るものではなく、図５（ａ）に示すように、上下方向にはある程度の寸法（厚肉寸法）があるが、前後方向には薄い厚肉突部２７ｆ’を前後方向に隙間を介して多数設けたもので構成してもよく、これによっても、厚肉突部２７ｆ’間に多数の内部空間部２７ｇを有せしめることができて、良好な断熱性能を有する。さらには、図５（ｂ）に示すように、中空の矩形形状など内部に内部空間部２７ｇを有する厚肉突部２７ｆ”で断熱用部材を構成してもよく、図示しないが、この場合でも内部に複数の内部空間部を有するような形状のものを用いてもよい。
【００３４】
また、上記の実施の形態においては、レール取付部材２６として、側面視略コ字状のものを用いた場合を述べたが、この形状に限るものではないことはもちろんである。他の実施の形態としては、図６に示すように、中空の矩形形状などのレール取付部材２６’を用いてもよく、さらにこの場合に、レール取付部材２６’の内部に断熱材３０などを配設してもよく、これによっても上記実施の形態と同様な作用効果を得ることが可能である。
【００３５】
また、上記実施の形態では断熱用部材として、ガスケット２７の複数の厚肉突部２７ｆを用いた場合を述べたが、これに限るものでなく、材料自体に断熱性に優れ、内部に内部空間部を有する部品を別途に設けて、この断熱用部材を介して、ガイドレール２０をレール取付部材２６に取り付けてもよい。
【符号の説明】
【００３６】
１      自動販売機
６      自動販売機本体
７      外扉
８      断熱庫
９      内扉
１３    外箱
１５    前面開口部
２０    ガイドレール
２５    天面部補強部材
２６    レール部材
２７    ガスケット
２７ａ    前後延設部
２７ｆ、２７ｆ’、２７ｆ”    厚肉突部
２７ｇ    内部空間部
２７ｂ    第１舌片部
２７ｃ    第２舌片部
２７ｄ    シール部
３０      断熱材
Ｍ      庫外空間
Ｎ      庫内空間
【図１】
2015118420.tif 000003
【図２】
2015118420.tif 000004
【図３】
2015118420.tif 000005
【図４】
2015118420.tif 000006
【図５】
2015118420.tif 000007
【図６】
2015118420.tif 000008
【図７】
2015118420.tif 000009